(57)【要約】【課題】スクラッチカードの隠蔽部を効率的に剥離する装置の提供を目的とする。【解決手段】スクラッチカード１２を取り込んで、その銀色の部分の位置と形状とをラインセンサ４で認識し、形状記憶部５１に濃くして、この記憶の内容に基づき、剥離機構１００に含まれるインパクトヘッド１３で粘着テープ１４をスクラッチカードに押し付けて、銀色の部分を剥がし取る媒体処理装置。【選択図】  図３
2004175485.tif 000002
【特許請求の範囲】
【請求項１】
隠蔽部を有するスクラッチカードを取り込んで搬送する搬送部と、
前記搬送部によって所定位置に搬送されたスクラッチカードの前記隠蔽部を剥離する剥離機構とを有することを特徴とする媒体処理装置。
【請求項２】
請求項１記載の媒体処理装置であって、
前記剥離機構は、粘着材と、その粘着材を前記隠蔽部に圧着及び解放するヘッドとを含むことを特徴とする媒体処理装置。
【請求項３】
請求項２記載の媒体処理装置であって、
前記粘着材が一面に塗布されたテープを繰り出す繰出部を有し、前記ヘッドが前記隠蔽部へ圧着すると共に移動することによって、前記繰出部より前記テープを繰り出すことを特徴とする媒体処理装置。
【請求項４】
請求項３記載の媒体処理装置であって、
前記テープを巻き取る巻取部を有し、
前記巻取部は巻取リールギヤを含み、
前記繰出部は繰出リールギヤを含み、
前記巻取リールギヤと前記繰出リールギヤとが互いに噛み合っていることを特徴とする媒体処理装置。
【請求項５】
請求項４記載の媒体処理装置であって、
前記繰出リールギヤの直径と前記巻取リールギヤの直径との比が、前記繰出部に巻き付いたテープの直径と前記巻取部に巻き付いたテープの直径との比以上であることを特徴とする媒体処理装置。
【請求項６】
請求項１から５のいずれかに記載の媒体処理装置であって、
前記スクラッチカードから情報を読み取る読取部と、
前記読取部が読み取った情報に基づいて、前記剥離機構に前記隠蔽部の位置を指示する制御部とを有することを特徴とする媒体処理装置。
【請求項７】
請求項６記載の媒体処理装置であって、
前記ヘッドは、複数本のワイヤを含み、
前記制御部は、前記読取部が読み取った情報から判断される前記隠蔽部の形状に応じて前記ワイヤを選択的にインパクト駆動することを特徴とする媒体処理装置。
【請求項８】
請求項１から５のいずれかに記載の媒体処理装置であって、
前記剥離機構によって前記隠蔽部が剥離された後、スクラッチカード表面を読み取る読取部と、
前記読取部が読み取った画像を認識してくじの当否を判定する制御部とを有することを特徴とする媒体処理装置。
【請求項９】
請求項８記載の媒体処理装置であって、
スクラッチカードを回収する第１及び第２の回収庫を有し、
前記制御部は、くじの当否の判定の結果、当たりの場合にはスクラッチカードを第１の回収庫へ搬送し、はずれの場合にはスクラッチカードを第２の回収庫に搬送することを特徴とる媒体処理装置。
【請求項１０】
スクラッチカードを搬送する搬送部と、
スクラッチカードの画像を取得する画像取得部と、
前記搬送部で搬送されるスクラッチカードの位置を検知する検知部と、
粘着テープを繰り出して、巻き取る繰出巻取部と、
前記繰出巻取部で繰り出す粘着テープをスクラッチカードに押し付ける押付部と、
前記検知部でスクラッチカードが所定の位置に来たことを検知したとき、前記画像取得部で取得した画像に基づいて、前記押付部で前記粘着テープをそのスクラッチカードに一時的に押し付け、その後、前記画像取得部でスクラッチカードの画像を取得する制御部を有することを特徴とする媒体処理装置。
【発明の詳細な説明】
【０００１】
【発明の属する技術分野】
本発明はスクラッチカードの隠蔽部を剥離する装置、及び剥離されて顕になった部分を読み取る装置に関する。
【０００２】
【従来の技術】
従来、スクラッチカードの表面の銀色等の膜を剥がす作業は、人手で爪や硬貨などを用いて引っ掻いて（スクラッチして）削ることにより行われている。
【０００３】
特許文献１や特許文献２にはそれぞれカードを台紙から剥離する装置と遮蔽シールを剥離する装置とが開示されている。
【特許文献１】
特開平８−１６９６３０号公報
【特許文献２】
特開平９−９５０９６号公報
【０００４】
【発明が解決しようとする課題】
しかしながら、特許文献１に記載された技術は台紙を屈曲させることでカードを剥離させており、屈曲させても隠蔽部が剥離しないスクラッチカードには適さない。
【０００５】
また、特許文献２に記載された技術は加熱によって粘着力が弱まる遮蔽シールを剥がすために加熱する技術であって、加熱しても遮蔽部が剥離されないスクラッチカードには適さない。
【０００６】
そこで本発明は、スクラッチカードの隠蔽部を効率的に剥離する装置の提供を目的とする。
【０００７】
【課題を解決するための手段】
本発明は、上記目的を鑑みて、特に以下の手段を採用する。
【０００８】
スクラッチカード１２を取り込んで、その隠蔽部１２ａの位置と形状とを認識し、隠蔽部１２ａに粘着テープ１４をインパクトヘッド１３で押し付けて隠蔽部１２ａを剥がす手段を有する。
【０００９】
【発明の実施の形態】
以下、図１〜図８を用いて本発明の一実施形態を説明する。尚、装置における、部、機構、動作、処理、等は、〜手段と表現できることは言うまでもない。
【００１０】
図１は、スクラッチカード１２を示す。スクラッチカード１２は、インスタントくじやドーナツショップで購入額に応じてもらえるポイントカードなどに採用される。図１に示すように銀色等の部分（膜）によってスクラッチカード１２の一部分の表面隠蔽する隠蔽部１２ａを有する。その隠蔽部１２ａは、爪やコインなどで引っ掻かれて（スクラッチされて）、削られ、剥がされる（この観点から隠蔽部１２ａを被剥離部ともいう）。一般には、隠蔽部１２ａの下、つまり剥がされて顕わになるスクラッチカード表面の箇所には文字等の印刷があり、例えばインスタントくじであれば、当否や得点を示す符号や数字が印刷されている。また、図１のスクラッチカード１２は、方形、ダイヤ型、ハート型、楕円形の隠蔽部１２ａを複数有する一例を示しているが、スクラッチカード１２には多数の種類があり、それらの隠蔽部１２ａの数、位置、形状等も様々である。
【００１１】
図２は、カード取扱装置２００の外観である。この装置は、スクラッチカード１２を取り込んで隠蔽部１２ａを自動的に剥がす機能を有することはもちろん、インスタントくじ等のスクラッチカード１２がまとめて挿入されても、隠蔽部１２ａを人手によらず自動的に剥離し、更にインスタントくじの当否を判定して表示する機能を有する。カード取扱装置２００は、図示するように、スクラッチカード１２を数十枚セットできる供給スタッカ１（１枚のみを取り込む取込口であってもよい）と、装置２００の状態や、供給スタッカ１より供給されたカード１２の当否結果などを表示する表示パネル２９を有する。更に、回収したスクラッチカード１２を取り出す扉２０１を有する。
【００１２】
図３はカード取扱装置２００の断面図であり、左側がオペレータ側、右側が装置奥側である。カード取扱装置２００は、主に、供給スタッカ１にセットされた複数枚のスクラッチカード１２を１枚ずつ分離する摩擦分離機構２、摩擦分離機構２を駆動する分離部モータ６、スクラッチカード１２が通過する主搬送路３、主搬送路内のスクラッチカード１２を動かす複数の主搬送ローラ１１とその主搬送ローラ１１を駆動する主搬送モータ７、イメージを取得するラインセンサ４（読取部ともいう）、スクラッチカード１２の搬送方向を切り替えるゲート５、ゲート５を動かす切替えソレノイド１０、はずれスクラッチカード１２を回収するはずれ回収庫８、当たりスクラッチカード１２を収納する当たり回収庫９、ＣＰＵ、メモリを有し、装置全体の制御を司る制御ボード２７（後述の制御部５０とほぼ同等）、電源２８、スクラッチカード１２の隠蔽部１２ａの膜を剥離する剥離機構１００が含まれる。剥離機構１００は、隠蔽部１２ａを削って剥離する機構のものも考えられるが、本例では、削りカスの散乱を防止するため、特に粘着材を用いて剥離する機構として説明する。
【００１３】
図４は、カード取扱装置２００の機能ブロック図である。カード取扱装置２００の全体を制御する制御部５０と、ラインセンサ４にて読み取られた隠蔽部１２ａの位置や形状等を剥離すべき対象として記憶する形状記憶部５１、読み取ったイメージを認識する認識処理部５２、くじの当否判定データと照合して当否を判定する当否判定部５３、スクラッチカード１２の搬送路中に適宜設けられスクラッチカード１２の位置を検知するスクラッチカード位置センサ５４を有する。更に、剥離機構１００にはインパクトヘッド１３とヘッドモータ２１とプラテンソレノイド２６とヘッドホームポジションセンサ５５が含まれる。
【００１４】
以下、図３と図４とを用いて、インスタントくじの取り込み、隠蔽部を剥離する動作、インスタントくじの当否判定と回収について制御部５０が実行する処理の流れを説明する。
【００１５】
最初に、供給スタッカ１にスクラッチカード１２が、剥離面側（隠蔽部１２ａ表面）を装置奥側に向けてセットされる。オペレータによって図示しないスタートキーが押下されると、バネと押板によってスクラッチカード１２が摩擦分離機構２側に押し付けられ、分離部モータ６によって摩擦分離機構２を駆動してスクラッチカード１２を１枚ずつ分離し、装置内部の主搬送路３へ搬送する。
【００１６】
ラインセンサ４の直下を主搬送モータ７によってスクラッチカード１２を通し、剥離機構１００へと搬送する。このとき、ラインセンサ４にて隠蔽部１２ａ自体の位置や形状等を読み取って、剥がす対象として形状記憶部５１に記憶する。スクラッチカード１２が所定の位置に搬送されたことをスクラッチカード位置センサ５４によって検知すると、形状記憶部５１に記憶された情報に基づいて、スクラッチカード１２の隠蔽部１２ａの剥がす対象を制御機構１００に指示する。このように、隠蔽部１２ａの形状や位置が様々なスクラッチカード１２本体への傷つけを防止するために、本例では剥離機構１００によって、剥離する前に隠蔽部１２ａの位置と形状とを確認している。
【００１７】
なお、上述の例では、隠蔽部１２ａそのものの位置と形状とを確認する例として説明したが、スクラッチカード１２に印字されている番号や記号のイメージをラインセンサ４により取得して認識する、又は、スクラッチカード１２に記憶された磁気情報を図示しない磁気センサで読み取って認識する等して、その認識結果、つまりカード種類に対応する予め記憶された隠蔽部の数、位置、形状等に関する情報を呼び出して形状記憶部５１に記憶する方法も考えられる。この方法によれば、前者に比べスクラッチカード１２自体を見て位置と形状とを判断する方法に比べ処理が簡易になり好ましい一方で、例えば一部の隠蔽部が剥がされた状態でスクラッチカード１２がセットされた場合に、既に剥がした部分にも粘着テープを圧着し、スクラッチカードの表面を無用に傷つけるおそれもある。
【００１８】
スクラッチカード１２の種類によっては隠蔽部１２ａの塗布強度の強弱がある。そこで、あらかじめスクラッチカード１２の種類毎の塗布強度をデータベース化し、認識したカード種類に基づいて剥離の強度を調整する機能を装置にもたせることで、スクラッチカード１２を傷める問題が軽減される。
【００１９】
剥離機構１００では、形状記憶部５１の記憶内容に基づいてスクラッチカード１２の隠蔽部１２ａを剥離する（剥離動作の詳細は、後述）。
【００２０】
次に、隠蔽部１２ａが剥離されたスクラッチカード１２をオペレータ側、つまり、剥離機構１００より装置前側に設置されたラインセンサ４の方向へと主搬送路３を逆搬送する。そして、ラインセンサ４で剥離後のスクラッチカード１２の表面に現れる顕わになった印刷情報（当否情報ともいう）のイメージを読み取る。読み取ったイメージは、認識処理部５２で認識され、当否判定部５３でくじの当否判定データと照合されて当否が判定される。この当否判定部５３は、通信回線を通じて制御部５０と接続する上位装置に備わっていてもよい。なお、このとき隠蔽部１２ａが剥がされておらず、当否情報が読み取れない場合には、再度、ラインセンサ４で隠蔽部１２ａの形状と位置を読み取って、形状記憶部５１に記憶し、剥離機構１００に搬送して隠蔽部１２ａの剥離を試みる（剥離の強度を変えてもよい）。さらに予め決めた回数の剥離を試みても、隠蔽部１２ａを剥がせなかった場合には表示パネル２９にエラーメッセージを表示して、はずれ回収庫８に回収する。
【００２１】
当否判定部５３によって、はずれと判定されたスクラッチカード１２（以下、はずれスクラッチカード）は、主搬送路３のオペレータ側に搬送しはずれ回収庫８に回収する。当たりと判定されたスクラッチカード１２（以下、当たりスクラッチカード）は、主搬送路３の装置奥側に搬送し、当たり回収庫９に回収する。当たりスクラッチカードは、照合した店がスクラッチカード１２を回収して最終的に換金するために回収することが望ましいが、はずれスクラッチカードは返却してもよい。カード取扱装置２００では、はずれ回収庫８をオペレータ側に設置しているため、図２に示した扉２０１を開いてはずれスクラッチカード１２を取り出すことができる。これにより、はずれであることを念のため目視で確認することができ、また、もし隠蔽部１２ａが剥がされなかったスクラッチカード１２があった場合には、人手で剥がすことができる。はずれスクラッチカードの返却が不要であれば回収して破棄する。なお、一枚のスクラッチカード１２を処理している間に、次の（２枚目の）スクラッチカード１２が進入すると、２枚目のスクラッチカード１２が主搬送路３上にあるために、はずれ回収庫８への回収が不可になることを防止して、主搬送路３と分離部２とは、主搬送モータ７と分離部モータ６とで別々に駆動している。一方、回収庫８と９とを共にラインセンサ４に対して装置奥側に設置した場合には、１枚目のインスタントくじを認識している間に次のインスタントくじを主搬送路の入り口に取り込んでおくことができるので処理は早くなる。
【００２２】
このように１枚目の処理が終わった後、２枚目のスクラッチカード１２の処理へと移り、供給スタッカ１にセットされたスクラッチカード１２への分離、剥離、認識、回収処理等をすべて処理すると、一連の流れが完了する。なお、ラインセンサ４を読取部として、隠蔽部１２ａの位置と形状及び当否情報をともに読み取ったが、それぞれ別の読取部によってそれらを読み取ってもよく、読取部は光学センサに限られない。
【００２３】
次に図５〜８により剥離機構１００の剥離動作の詳細を説明する。
【００２４】
図５は、剥離機構１００の詳細説明図であり、オペレータ側から矢印Ａの方向に、スクラッチカード１２が主搬送路ガイド３ａ、３ｂ及び搬送ローラ組１１によって搬送された状態を示している。隠蔽部１２ａの先端は、インパクトヘッド１３のノーズ部１３Ａの直下にある。以下、図５を基に剥離機構１００の剥離動作を説明する。
【００２５】
ヘッドキャリア１８は、２本のレール１９と２０とに案内されスクラッチカード１２の搬送方向Ａと直角な方向に移動可能であり、ヘッドキャリア１８に固定されたベルト２４とヘッドモータ２１、プーリ２３により駆動される。なお、図示していないが、レール１９，２０によるキャリア１８の可動範囲の端に、ヘッドホームポジションセンサ５５が設けられ、キャリア１８が端部にきた事を検知し、これを起点にキャリア１８を移動する。
【００２６】
また、インパクトヘッド１３が媒体１２に接触できるように搬送路の開口部３ｅの下側には上下方向に動作するプラテン２５が設置されている。そしてこのプラテン２５は、搬送ガイド３ａ、３ｃに対し圧着乖離可能に図３のソレノイド２６で制御されている。通常、スクラッチカード１２を搬送路中で移動する際はプラテン２５下方向に動作して、媒体１２と接触しないように離れている。一方、スクラッチカード位置センサ５４によって、スクラッチカード１２が所定の剥離位置に搬送されたことを検知し、隠蔽部１２ａを剥離するときは、プラテン２５が上方向に動作する。即ち、スクラッチカード１２が移動しないようにプラテン２５をカード１２に圧着し、搬送ガイド３ａ、３ｃとプラテン２５の間にスクラッチカード１２を挟み込んで固定する。
【００２７】
スクラッチカード１２を固定した後、インパクトヘッド１３は、スクラッチカードの搬送方向Ａと直交方向、つまり図右方から左方に向かって移動する。このとき形状記憶部５１の記憶内容（隠蔽部の形状や位置の情報）に従って、スクラッチカード１２の隠蔽部１２ａに対し、ノーズ部１３Ａによって粘着テープ１４の粘着面の背面を打ち、粘着面をスクラッチカード１２の隠蔽部１２ａに押し付けて圧着する。その後、その押し付け又は圧着を解放する。ここで、インパクトヘッド１３をスクラッチカード１２の搬送方向と直交方向に移動することで、スクラッチカード１２のその方向への搬送を不要にできる。
【００２８】
上述した例ではインパクトヘッド１３と媒体１２との間に、粘着材が一面に塗布された粘着テープを使用し、スクラッチカード１２の隠蔽部１２ａを剥離する例でも説明した。その他、隠蔽部１２ａを何かしらの機構によって、削る例も考えられるが、その削りカス等が装置内に散乱して滞留し装置の性能低下や故障の要因になるとの問題がある。そこで、本例では、粘着材を使用することで削りカスを粘着材に固定しておくことができ、この問題を解消できる。尚、粘着材の粘着力は、インパクトヘッド１３が粘着面の背面から離れたときにスクラッチカード１２の隠蔽部１２ａを剥がしてスクラッチカード１２表面から離れる程度である。すなわち、粘着力は遮蔽部を引き剥がす以上の力を持つことが最低限必要である。但し、必要以上に強力であると、粘着テープ１４を巻き取っている部分からインパクトヘッド１３の方向へ繰り出しできなくなる。
【００２９】
図６は、インパクトヘッド１３をプラテン２５側の下方から見た図である。インパクトヘッド１３は、６本のワイヤ１３ａ〜１３ｆをそれぞれ別々に駆動して粘着テープの背面に衝撃を与える（以下、インパクト駆動とよぶ）機構を採用する。ワイヤ１３ａ〜１３ｆは、形状記憶部５１の記憶に従ってノーズ部１３Ａの内部で電磁力により運動エネルギーを得た図示しないアーマチュアによって選択的に上下にインパクト駆動される。従って、図１に示す複雑な形状の隠蔽部１２ａであっても、適格に粘着テープを隠蔽部１２ａに打ち付けることができ、スクラッチカード１２本体を傷つけずに隠蔽部１２ａを剥がすことができる。なお、より細かいワイヤを採用することで、より微細で複雑な形状の隠蔽部１２ａを剥離することが可能となる。
【００３０】
インパクトヘッド１３のワイヤ並びの幅をＷとして、形状記憶部５１に記憶されている一つの隠蔽部１２ａの形状に応じたインパクト駆動を説明する。
隠蔽部１２ａの形状が長方形で、幅がＷ以下の場合には、６本のワイヤのうち、隠蔽部１２ａの幅にあうように１〜６本のワイヤを選択してインパクト駆動する。
隠蔽部１２ａの形状が長方形で、幅がＷ以上の場合には、６本のワイヤ全てをインパクト駆動しながら、ドットインパクトヘッド１３がスクラッチカード１２の右端から左端まで移動した後、さらにヘッドキャリア１８を右側に戻し、プラテン２５の圧着を解除して搬送ローラ組１１を駆動してスクラッチカード１２を幅Ｗの分だけ図５に示すＡ方向に搬送し、プラテン２５を再度圧着してインパクト駆動する。
隠蔽部１２ａが長方形ではなく、図１に示したハート型のように複雑な形状の場合には、形状記憶部５１の記憶内容に従って、インパクトヘッド１３が移動するごとに順次、ワイヤを選択してインパクト駆動し、更に必要に応じてスクラッチカードを搬送し、インパクト駆動を繰り返す。
【００３１】
一つの（第１の）隠蔽部１２ａを剥がし終わっているときには形状記憶部５１に従って、他の（第２の）隠蔽部１２ａを探し、形状記憶部５１に第２の隠蔽部１２ａが記憶されていないときには剥がし動作を終了する。
【００３２】
図７は、図中の矢印方向に移動するインパクトヘッド１３の横断面を示し、これを用いて粘着テープ１４の圧着と分離について補足する。図５の繰出リール１７から引き出された粘着テープ１４は、インパクトヘッド１３のノーズ１３Ａの直下である圧着ポイントで、ワイヤ１３ａ〜ｆにより打ち付けられた部分が隠蔽部１２ａに接着される。つまり、それ以外の粘着テープ１４の部分は、スクラッチカード１２の表面を無用に傷つけないためにスクラッチカード１２と接着しない状態を保つ。インパクトヘッド１３がインパクト駆動して選択的に隠蔽部１２ａに粘着テープ１４を接着しながら図中の右から左方向（ヘッド移動方向）へ移動すると、接着した箇所を支点として粘着テープ１４が、図中の左から右方向へ繰出リール１７から次々と引き出される。また、引き出されるのに伴い、後述する巻取部の巻き取り作用によって、カートリッジ１５の剥がしローラ１５ａの箇所で、粘着テープ１４は、スクラッチカード１２の表面から離れ、図５の巻取リール３１に巻き取られる。この剥がしローラ１５ａ部にて、粘着テープ１４と接着している隠蔽部１２ａ’が、スクラッチカード１２の表面から剥がされ、粘着テープ１４と共に巻取リール３１に巻き取られる。
【００３３】
次に、図８を用いて粘着テープ１４の繰出巻取機構について補足する。図８は、カートリッジ１５の断面を示し、一方に、粘着テープ１４が最初に巻きつけられている繰出リール１７と、他方に、粘着テープ１４を巻き取る巻取リール３１を備えている。それぞれのリールには同軸上に繰出リールギヤ１６と巻取リールギヤ３０とが備えられ、それらは互いに噛み合っている。粘着テープ１４は、上述したようにインパクトヘッド１３のワイヤからインパクトを受け、一時的に隠蔽部１２ａに接着する。一時的に接着した状態で、インパクトヘッド１３が移動すると、粘着テープ１４がカートリッジ１５の一方に備わる繰出リール１７から順次引き出される。すると繰出リール１７が回転し、繰出リール１７と既知の摩擦クラッチで同軸上に組み合わされている繰出リールギヤ１６が回転し、その回転が繰出リールギヤ１６によって巻取リールギヤ３０に伝わり、共に回転する。このような繰出巻取機構を構成することで、粘着テープの繰り出し及び巻き取りに専用のモータを用意する必要が無い。なお、繰出リールギヤ１６と繰出リール１７とを総称して繰出部と、巻取リールギヤ３０と巻取リール３１とを総称して巻取部ともいう。
【００３４】
更に、ＧＤＳ：繰出リールギヤ１６の直径（ピッチ円径）、ＧＤＰ：巻取リールギヤ３０の直径（ピッチ円径）、ＳＤＳｍａｘ：繰出リール１７に巻き付いている粘着テープ１４の最大直径、ＳＤＰｍｉｎ：巻取リール３１に巻き付いている粘着テープ１４の最小直径、の関係は以下の式に示す関係を有する。
（ＧＤＳ／ＧＤＰ）≧（ＳＤＳｍａｘ／ＳＤＰｍｉｎ）
つまり、繰出部と巻取部のそれぞれのギヤの直径つまり円周の比が、それぞれに巻き付いている粘着テープの直径つまり円周の最大比よりも大きい関係を有する。左辺は、繰出部と巻取部のそれぞれのギヤの円周の比を表しているので、すなわち、繰出リールギヤ１６が１回転した場合に、その繰出リールギヤ１６の回転を受けて共に回転する巻取リールギヤ３０の回転数を示す。一方、右辺は、巻き付いている粘着テープの直径つまり円周の比を表しているので、繰出リール１７が１回転して繰り出される粘着テープ１４の長さと、巻取リール３１が１回転して巻き取る粘着テープ１４の長さとの比、すなわち繰り出した粘着テープ１４をたるみなく巻き取るために必要な巻取リール３１の回転数を示す。
【００３５】
従って、上式の関係にあっては、左辺の示す回転数が、常に右辺の示す回転数以上なので、繰り出された粘着テープ１４はたるみなく巻き取られる。なお、生じる回転数の差は、繰出リールギヤ１６と繰出リール１７とが一定以上の摩擦力がかかると空転する既知のクラッチによって吸収する。このクラッチは、カートリッジ１５と巻取リールギヤ３０の間に組み込まれており、逆転防止の機能もあわせ持つことが、テープのたるみを防ぐので望ましい。
【００３６】
以上のように一実施形態を説明したが、本発明は、これに限られずその要旨を脱しない範囲の形態で実施可能であり、例えば、剥離機構を有するカード取扱装置等に内蔵して適用することも可能である。
【００３７】
【発明の効果】
本発明によればスクラッチカードの隠蔽部を効率的に剥離することができる。
【図面の簡単な説明】
【図１】スクラッチカードの外観図
【図２】カード取扱装置の外観図
【図３】カード取扱装置の断面図
【図４】制御ブロック図
【図５】剥離機構部の詳細図
【図６】インパクトヘッドの拡大図
【図７】インパクトヘッドの断面図
【図８】粘着テープのカートリッジ断面図
【符号の説明】
２００：カード取扱装置、１００：剥離機構、１２：スクラッチカード、１２ａ：隠蔽部、１３：インパクトヘッド、１４：粘着テープ、５０：制御部
【図１】
2004175485.tif 000003
【図２】
2004175485.tif 000004
【図３】
2004175485.tif 000005
【図４】
2004175485.tif 000006
【図５】
2004175485.tif 000007
【図６】
2004175485.tif 000008
【図７】
2004175485.tif 000009
【図８】
2004175485.tif 000010